(57)【要約】      （修正有）【課題】電源底部が自動的に発射パワーの大きさを調整し、エネルギーの伝送損失を低下させ、余分なパワーの変換も大幅に低下させる可変周波数式コードレス供電及び充電装置を提供する。【解決手段】電源底部の第一マイクロプロセッサは電源回路とパワー切換駆動回路に電気的に接続し、パワー切換駆動回路は第一共振回路に電気的に接続し、第一共振回路は、第一コイルと検出モジュールとに電気的に接続し、前記コードレス供充電受信装置の第二コイルは第二共振回路と電気的に接続し、第二共振回路は整流フィルタ回路と信号生成回路に電気的に接続し、整流フィルタ回路は検知保護モジュールに電気的に接続し、検知保護モジュールと信号生成回路は第二マイクロプロセッサに電気的に接続する。これにより、コードレス供充電受信装置は電源底部の供給する電源状況を検知後、信号を電源底部にリターンし、電源底部は出力パワーを自動調整する。【選択図】図１
0003165768.tif 000002
【実用新案登録請求の範囲】
【請求項１】
電源に接続し電磁センサー方式で電子装置を充電する装置であるコードレス供充電受信装置は、電源底部とコードレス供充電受信装置とを備え、
前記電源底部において、第一マイクロプロセッサは電源回路に電気的に接続し、電源回路は、電源と接続する電源入力インターフェースに電気的に接続し、第一マイクロプロセッサはパワー切換駆動回路のフルハーフブリッジ駆動回路に電気的に接続し、フルハーフブリッジ駆動回路には第一モスフェットアレイと第二モスフェットアレイとを並列連結し、更に二つのモスフェットを第一共振回路に電気的に接続し、第一共振回路は、コードレス供充電受信装置の発射する信号とエネルギーを受信する第一コイル信号と、第一マイクロプロセッサに電気的に接続する検出モジュールに電気的に接続し、検出モジュールは、第一共振回路の受信する信号を検知し結果を第一マイクロプロセッサへ伝送する信号検出回路と電圧検出回路とを備え、
コードレス供充電受信装置には、信号を電源底部に発射し電源底部の発射する電力を受信する第二コイルを配置し、第二コイルは第二共振回路に電気的に接続し、第二共振回路は高圧交流電源を受信する整流フィルタ回路に電気的に接続し、整流フィルタ回路は、検知保護モジュール内で整流フィルタ回路の高圧交流電源を受信し低圧電源に変換して出力するレギュレータと、整流フィルタ回路とレギュレータに電気的に接続する電圧検知回路に電気的に接続し、整流フィルタ回路及びレギュレータ間には、電流過大時に第二マイクロプロセッサのコントロールを受けて遮断され供電を停止する遮断保護回路を電気的に接続し、更に、レギュレータは温度検知回路と電源を電子装置に供給する電源出力インターフェースに電気的に接続し、電圧検知回路と温度検知回路はその信号を受信して処理を行う第二マイクロプロセッサに電気的に接続し、第二マイクロプロセッサは、コード信号を受信して生成した信号を第二共振回路に伝送する信号生成回路に電気的に接続することを特徴とする可変周波数式コードレス供電及び充電装置。
【請求項２】
電源底部の第一マイクロプロセッサは、パルス幅変調信号及び制御信号をフルハーフブリッジ駆動回路に出力し、フルハーフブリッジ駆動回路は、抵抗器とコンデンサで構成されるアールシー遅延回路と、並列連結する逆方向駆動集積回路と順方向駆動集積回路を配置し、アールシー遅延回路は逆方向駆動集積回路に入力し、パルス幅変調信号は、アールシー遅延回路及び順方向駆動集積回路に伝送し、逆方向駆動集積回路の入力ゲートにはＮ型モスフェットを一つ配置し、Ｎ型モスフェットには第一マイクロプロセッサの制御信号を受信し、信号または接地の入力状態をコントロールする切換装置を接続し、逆方向駆動集積回路と順方向駆動集積回路の出力端にはそれぞれ、第一モスフェットアレイ及び第二モスフェットアレイを接続することを特徴とする請求項１に記載の可変周波数式コードレス供電及び充電装置。
【請求項３】
前記電源底部の第一モスフェットアレイと第二モスフェットアレイは、Ｎ型モスフェットとＰ型モスフェットとを組み合わせて構成したものであり、二者の前端にはそれぞれ、モスフェットのスイッチとして、充放電、整合に用いるダイオードと抵抗器を組み合わせ、フルハーフブリッジ駆動回路の駆動信号を受信して高圧電源或いは接地に切り換えて出力し、
第一コイルは、第一共振回路の共振コンデンサに連結後、二端をそれぞれ第一モスフェットアレイと第二モスフェットアレイに接続し、前記二端が逆相の駆動信号を受信すると、フルブリッジ駆動を形成するか、第一モスフェットアレイをカットして接地とし、出力電圧を半減したハーフブリッジ駆動回路を形成することを特徴とする請求項１に記載の可変周波数式コードレス供電及び充電装置。
【請求項４】
前記電源底部の第一コイルとコードレス供充電受信装置の第二コイルは、複数のエナメル線をより合わせた後に粘性絶縁材質を粘着させて形成した線材を用い、金型で単層の扁平矩形形状に巻きつけた後、残した二本のリード線を一端に引っ張り出し、各リード線の末端に無鉛ハンダで導電部を形成することを特徴とする請求項１に記載の可変周波数式コードレス供電及び充電装置。
【請求項５】
前記コードレス供充電受信装置において検知保護モジュールのレギュレータと電源出力インターフェースの間には、電流過大時に自動的に遮断保護する電流検知保護回路を電気的に接続し、電流検知保護回路内には自動回復可能な過電流リセットヒューズを配置し、
電流検知保護回路は、電流過大時に信号を受信し遮断保護回路をオフにして電子装置への供電をストップさせる第二マイクロプロセッサに電気的に接続することを特徴とする請求項１に記載の可変周波数式コードレス供電及び充電装置。
【請求項６】
前記コードレス供充電受信装置の検知保護モジュールには、電圧検知回路に電気的に接続する昇降圧型レギュレータを配置し、レギュレータと昇降圧型レギュレータは、電源出力インターフェースを経て外部の電子装置に電源を出力する電流検知保護回路に電気的に接続し、レギュレータは充電モジュールの充電管理回路に電気的に接続し、充電管理回路は、電源を昇降圧型レギュレータと電流検知保護回路を経て電源出力インターフェースに伝送する蓄電池に電気的に接続し、蓄電池は更に電圧検知回路に電気的に接続することを特徴とする請求項１に記載の可変周波数式コードレス供電及び充電装置。
【請求項７】
前記コードレス供充電受信装置の第二コイルは、第二共振回路の共振コンデンサに連結し、更に、二端をそれぞれ整流フィルタ回路のブリッジ整流器の交流入力の二端に接続し、整流フィルタ回路はブリッジ整流器とフィルタコンデンサによって構成され、整流フィルタ回路はまた、検知保護モジュール内のＮ型モスフェットとＰ型モスフェットの組み合わせによって構成される遮断保護回路に接続し、Ｐ型モスフェットはレギュレータに接続し、Ｎ型モスフェットはそれに組み合わせたＰ型モスフェットの導電状態をコントロールする第二マイクロプロセッサに接続することを特徴とする請求項１に記載の可変周波数式コードレス供電及び充電装置。
【請求項８】
前記コードレス供充電受信装置の電源出力インターフェースは、ユニバーサル・シリアル・バスまたは電子装置に対応する直流電源プラグ、コンセントとすることを特徴とする請求項１に記載の可変周波数式コードレス供電及び充電装置。
【考案の詳細な説明】
【技術分野】
【０００１】
本考案の可変周波数式コードレス供電及び充電装置は、特に、コードレス供充電受信装置が検知保護モジュールを通して電源底部の供給する電源状況を検知した後、信号を電源底部にリターンすることにより、電源底部が自動的に発射パワーの大きさを調整し、エネルギーの伝送損失を低下させ、余分なパワーの変換も大幅に低下させる可変周波数式コードレス供電及び充電装置を提供することに関する。
【背景技術】
【０００２】
生活環境がデジタル時代へと移り変わり、各種デジタル商品が周囲に溢れている。それには例えば、デジタルカメラ、携帯電話、エムピースリー等の各種携帯タイプの電子装置が含まれる。そして、各種携帯タイプの電子装置、商品等は全て軽薄短小を方向性とする理念に基づき設計されている。しかし、随時携帯可能という使用目的を達成するためには、第一に使用電力の問題を解決しなければならない。一般に、最も普遍的であるのは、携帯タイプの電子装置内に充電電池を取り付ける方法であり、電力を使い果たした時に改めて充電することができる。しかし、現在、人はそれぞれ携帯タイプの電子装置を複数所有している。各電子装置にはそれぞれに対応する特定の充電器があり、毎回新しい携帯タイプの電子装置を購入した時には、対応する充電池も別に購入しなければならず、経済的負担が増える。しかも、それを収納するための大きな空間も必要で、複数の電子装置の充電器を一緒に収納したなら、充電する時に対応する充電器を探さなければならず時間の無駄となるという欠点が存在する。
【０００３】
次に、現在の充電器の使用方法は、充電器の接続インターフェースをコンセントに差し込み、更に充電器のコネクタを携帯タイプの電子装置に差し込むことにより、携帯タイプの電子装置に充電を行い、充電完了後、充電器を携帯タイプの電子装置から抜き取るものである。しかし、充電器はコンセントがある所でなければ充電できないため、充電場所が限定される。屋外や緊急充電を要する場合であっても、即時の充電は不可能である。
【考案の概要】
【考案が解決しようとする課題】
【０００４】
前述の問題点に対して、あるメーカーによって電磁波感知式の電力伝送商品が研究開発された。それは無接点感知で電力伝送を行う商品で、便利性に優れるため、市場では発売と同時に注目されたが、現在の無接点感知電力伝送商品には実際の使用上に多くの欠点が存在し、それらは次に示す通りである。
（１）無接点感知式電力伝送商品の電力発射端は、コイルを共振回路に組み合わせてエネルギーを発射するもので、発射エネルギーの大きさは通電後変化させることができず、需要端の電子装置が必要パワーを変化させた時であっても、発射端はパワーを変化させられず、パワー不足或いはパワーの浪費等の欠点が存在する。
（２）受信端二次側の共振コンデンサと受信コイルとは並列連結し、無負荷作業の状態において、継続してパワーを消耗するため、エネルギー浪費という欠点が存在する。
（３）コイルは単一芯を用いた絶縁性エナメル銅線を巻き付けて形成されるが、コードレス供電作動時、発熱すると、伝送効率を悪くし、パワーを低下させる。
（４）受信端に安全回路が配置しておらず、ショートや電流過大が発生した場合、電子装置の損傷を引き起こす。
【０００５】
よって、いかに公知の無接点感知式電力伝送製品の問題及び欠点を解決するかが、本業界に従事する関連メーカーが研究改善すべき方向である。
【課題を解決するための手段】
【０００６】
考案者は、前述の問題点及び欠点に鑑み、関連資料を収集し、多方面からの評価及び考慮と本業界に従事し積み上げてきた長年の経験をもとに、試作及び修正を繰り返し、ついに、パワー出力を自動的に調整できる可変周波数式コードレス供電及び充電装置の新規性を備える実用新案を生み出した。
【０００７】
本考案の第一の目的は、コードレス供充電受信装置が電源底部によって伝送された電源を受信後、検知保護モジュールは供給した電源状況を検知し、更に第二マイクロプロセッサでの分析を経た後、信号生成回路、第二共振回路、及び第二コイルによって信号を電源底部に伝送し、電源底部が信号を受信した後に、検出モジュールは信号及び電圧を検出し、更に第一マイクロプロセッサによる分析後、パワー切換駆動回路を制御して自動的に出力パワーを調整し、これにより、電源底部はコードレス供充電受信装置の要求に合うパワーを伝送し、エネルギー伝送の損失及び余分なパワーの変換を低下させ、エネルギー節約効果を達成することにある。
【０００８】
本考案の第二の目的は、電源底部のパワー切換駆動回路にフルハーフブリッジ駆動回路と並列連結した第一モスフェットアレイ及び第二モスフェットアレイとを用い、継続的に供電し操作する状況下でフルハーフブリッジ駆動回路はスピーディにパワー出力を切り換え、更にフルハーフブリッジ駆動回路は、無作業時での第一モスフェットアレイと第二モスフェットアレイの通路の漏電を遮断して回路静止時の消耗を最低にし、これによってエネルギー節約効果を達成することにある。
【０００９】
本考案の第三の目的は、複数のエナメル線をより合わせた後に粘性絶縁材質を粘着させた線材を巻き付けて、単層の扁平矩形形状の第一コイルと第二コイルを形成し、第一コイルと第二コイルは高周波数下で低抵抗であるだけでなく、十分なインダクタンスを有することにより、第一コイルと第二コイルはパワー伝送時に生じる熱量を低下させ、伝送効率と最大パワーとエネルギー節約効果を高める目的を達成することにある。
【００１０】
本考案の第四の目的は、コードレス供充電受信装置において第二コイルに第二共振回路の共振コンデンサを連結することにより、共振が無負荷時の消耗をゼロとし、重負荷時に優位的に大きなパワーを得、エネルギー節約及び効率を高める目的を達成することにある。
【００１１】
本考案の第五の目的は、コードレス供充電受信装置の検知保護モジュールにおいて整流フィルタ回路とレギュレータの間に遮断保護回路を配置し、レギュレータと昇降圧型レギュレータを電流検知保護回路に電気的に接続させ、電流検知保護回路内には自動回復可能な過電流リセットヒューズを使用することにより、電流過大時の遮断保護回路への供電を遮断し、電流検知保護回路の過電流リセットヒューズによって自動遮断及び保護を行う二重保護効果を備え、火事、損傷を防止する効果を高め、製品の使用上の安全性を高める目的を達成することにある。
【考案の効果】
【００１２】
本考案の可変周波数式コードレス供電及び充電装置は、エネルギー節約及び効率を高め、製品の使用上の安全性を高める効果を達成する。
【図面の簡単な説明】
【００１３】
【図１】本考案の電源底部についてのブロック図である。
【図２】本考案のコードレス供充電受信装置についてのブロック図である。
【図３】本考案のフルハーフブリッジ駆動回路についての回路図である。
【図４】本考案の電源底部についての一部回路図である。
【図５】本考案のコードレス供充電受信装置についての一部回路図である。
【図６】本考案のコイルについての上面図である。
【考案を実施するための形態】
【００１４】
次に、前述の目的及び効果を達成するために本考案の採用する技術手段及び構造について、図面を参照とする本考案の実施例の説明により、その特徴と機能を詳細する。これによって本考案に対する完全なご理解がいただけるであろう。
【００１５】
図１及び図２に、本考案の電源底部についてのブロック図、コードレス供充電受信装置についてのブロック図を示す。図中から分かる通り、コードレス供充電受信装置は、電源底部１とコードレス供充電受信装置２を備える。
【００１６】
前記電源底部１において、第一マイクロプロセッサ１１は電源３と電気的に接続し、第一マイクロプロセッサ１１に低圧電源を供給する電源回路１２に接続し、しかも第一マイクロプロセッサ１１は電源回路１２から高圧電源を供給されるパワー切換駆動回路１３に電気的に接続する。パワー切換駆動回路１３には第一マイクロプロセッサ１１と電気的に接続するフルハーフブリッジ駆動回路１３１を配置し、前記フルハーフブリッジ駆動回路１３１には第一モスフェットアレイ１３２と第二モスフェットアレイ１３３とを並列連結し、第一モスフェットアレイ１３２と第二モスフェットアレイ１３３は更に第一共振回路１４に電気的に接続する。第一共振回路１４は、信号を受信しエネルギーを発射する第一コイル１５と、電源回路１２から低圧電源を供給され第一マイクロプロセッサ１１に電気的に接続する検出モジュール１６とに電気的に接続する。前記検出モジュール１６には、それぞれが第一共振回路１４の受信する信号を検知し、結果を第一マイクロプロセッサ１１に伝送する信号検出回路１６１と、電圧検出回路１６２とを配置する。
【００１７】
前記コードレス供充電受信装置２には、信号を発射し、電磁波感知によって電力を受信する第二コイル２１と、第二コイル２１と電気的に接続する第二共振回路２２と、第二共振回路２２と電気的に接続し、その高圧交流電源を受信する整流フィルタ回路２３と、整流フィルタ回路２３に電気的に接続する検知保護モジュール２４とを備える。前記検知保護モジュール２４には整流フィルタ回路２３の高圧交流電源を受信し低圧電源に変換して出力するレギュレータ２４１を配置し、検知保護モジュール２４には更に、整流フィルタ回路２３及びレギュレータ２４１に電気的に接続する電圧検知回路２４２を配置し、検知保護モジュール２４にはまた、電圧検知回路２４２に電気的に接続する昇降圧型レギュレータ２４３を配置する。レギュレータ２４１及び昇降圧型レギュレータ２４３は、外部の電子装置４に電源を出力する電流検知保護回路２４４と電気的に接続し、レギュレータ２４１と整流フィルタ回路２３の間には電気的に接続する遮断保護回路２４５を配置し、更にレギュレータ２４１は温度検知回路２４６と電気的に接続する。
【００１８】
前記電圧検知回路２４２、電流検知保護回路２４４、温度検知回路２４６は、信号を受信して処理を行なう第二マイクロプロセッサ２５に電気的に接続する。また、第二マイクロプロセッサ２５は、その信号を受信する遮断保護回路２４５及び信号生成回路２６に電気的に接続し、信号生成回路２６は第二共振回路２２に電気的に接続する。コードレス供充電受信装置２内には更に、検知保護モジュール２４レギュレータ２４１の充電モジュール２７に電気的に接続する。充電モジュール２７にはレギュレータ２４１の提供する低圧電源を受信する充電管理回路２７１と、充電管理回路２７１の提供する電源を受信し充電を行う蓄電池２７２とを配置する。また、蓄電池２７２は昇降圧型レギュレータ２４３に電気的に接続する。
【００１９】
図１、３、４に、本考案の電源底部についてのブロック図、フルハーフブリッジ駆動回路についての回路図、電源底部についての一部回路図を示す。図から理解されるとおり、第一マイクロプロセッサ１１は、パルス幅変調（ＰＷＮ）信号及び制御信号をフルハーフブリッジ駆動回路１３１に出力する。フルハーフブリッジ駆動回路１３１には、抵抗器とコンデンサで構成されるアールシー（ＲＣ）遅延回路と、並列連結する逆方向駆動集積回路と順方向駆動集積回路を配置し、アールシー遅延回路は逆方向駆動集積回路に入力し、パルス幅変調信号は、アールシー遅延回路及び順方向駆動集積回路に伝送し、逆方向駆動集積回路の入力ゲートはＮ型モスフェット（ＭＯＳＦＥＴ）を一つ配置し、Ｎ型モスフェットには第一マイクロプロセッサ１１の制御信号を受信する切換装置を接続し、マイクロプロセッサによって信号または接地かの入力状態をコントロールし、逆方向駆動集積回路と順方向駆動集積回路の出力端にはそれぞれ、第一モスフェットアレイ１３２及び第二モスフェットアレイ１３３を接続する。
【００２０】
前記第一モスフェットアレイ１３２と第二モスフェットアレイ１３３は、Ｎ型モスフェットとＰ型モスフェットとを組み合わせて構成したものであり、二者の前端にはそれぞれダイオードと抵抗器を組み合わせ、モスフェットのスイッチとして、充放電、整合に用い、フルハーフブリッジ駆動回路１３１の駆動信号を受信し、高圧電源或いは接地に切り換えて出力する。第一コイル１５は、第一共振回路１４の共振コンデンサに連結後、二端をそれぞれ第一モスフェットアレイ１３２と第二モスフェットアレイ１３３に接続する。前記二端が逆相の駆動信号を受信するとフルブリッジ駆動が形成されるか、第一モスフェットアレイ１３２をカットして接地とすることにより半減された電圧を出力するハーフブリッジ駆動回路が形成される。
【００２１】
図２及び図５には、コードレス供充電受信装置についてのブロック図、コードレス供充電受信装置についての一部回路図を示す。図から理解されるとおり、コードレス供充電受信装置２の第二コイル２１は第二共振回路２２の共振コンデンサを連結し、更に、二端をそれぞれ整流フィルタ回路２３のブリッジ整流器の交流入力の二端に接続する。整流フィルタ回路２３はブリッジ整流器とフィルタコンデンサによって構成され、整流フィルタ回路２３はまた、検知保護モジュール２４内のＮ型モスフェットとＰ型モスフェットの組み合わせによって構成される遮断保護回路２４５に接続する。Ｐ型モスフェットはレギュレータ２４１に接続し、Ｎ型モスフェットは第二マイクロプロセッサ２５に接続して組み合わせたＰ型モスフェットの導電状態を制御する。
【００２２】
図１及び図２には、本考案の電源底部についてのブロック図、コードレス供充電受信装置についてのブロック図を示す。図から理解されるとおり、電源底部１とコードレス供充電受信装置２を使用時、電源底部１を電源３に接続し、電源３の提供する電力はパワー切換駆動回路１３を経て変換された後、第一共振回路１４の共振コンデンサによって共振変換後、第一コイル１５は電磁変換された電磁波信号を発射する。コードレス供充電受信装置２は第二コイル２１によって電磁波感知を行い、電源底部１の発信した電磁波信号を受信し、更に、第二共振回路２２を経て高圧交流電源に共振変換して整流フィルタ回路２３に出力され、検知保護モジュール２４のレギュレータ２４１が低圧電源に変換した後、電子装置４に供給して充電を行い、コードレス充電効果を達成する。
【００２３】
充電時、検知保護モジュール２４の温度検知回路２４６は、温度センサーを使ってレギュレータ２４１の提供する低圧電源に対して検知を行い、並びに、第二マイクロプロセッサ２５に提供して分析処理を行い、温度が予定値を超えた場合は、第二マイクロプロセッサ２５はコード信号を信号生成回路２６に伝送し、信号生成回路２６はコード信号を第二共振回路２２に混入させると、第二コイル２１は出力パワーの減少或いは停止の信号を電源底部１に発射する。電源底部１は信号検出回路１６１によって第一コイル１５の受信した信号に含まれる信号生成回路２６の生成した連続信号をろ過して取り出し、第一マイクロプロセッサ１１に伝送する。並びに、電圧検出回路１６２によって第一コイル１５の受信した信号に含まれる交流電力に対し降圧、整流を行い形成された直流電力を第一マイクロプロセッサ１１に伝送する（電圧検出回路１６２は整流フィルタ回路２３、レギュレータ２４１、昇降圧型レギュレータ２４３、蓄電池２７２等の複数点で電圧検知を行う）。第一マイクロプロセッサ１１は信号検出回路１６１及び電圧検出回路１６２の信号を分析後、先ず最良周波数と駆動方式を計算し、更にフルハーフブリッジ駆動回路１３１に伝送すると、フルハーフブリッジ駆動回路１３１は出力パワーを調整し、エネルギー伝送の損失を低下させ、コードレス供充電受信装置２内部部品が受け取る余分なパワーの変換を大幅に低下させる。
【００２４】
図１及び図２には、本考案の電源底部についてのブロック図、コードレス供充電受信装置についてのブロック図を示す。図から理解されるとおり、コードレス供充電受信装置２には充電モジュール２７を配置し、検知保護モジュール２４のレギュレータ２４１は充電モジュール２７の充電管理回路２７１に供電を行い、充電管理回路２７１は蓄電池２７２の充電状態をコントロールする（充電終了時には供電をストップし、充電が未終了時には充電を始める等）。蓄電池２７２はニッケル水素電池或いはリチウムイオン電池とし、蓄電池２７２の電力は、検知保護モジュール２４の昇降圧型レギュレータ２４３によって電圧を電子装置４の必要とする電圧値まで高めたり下げたりして充電を行う。これにより、コードレス供充電受信装置２が電源底部１の伝送する電磁波信号に近づいていないか受信していない場合であっても、直接、蓄電池２７２を用いて電子装置４に対する充電が行える。
【００２５】
図２には、コードレス供充電受信装置についてのブロック図を示す。図から理解されるとおり、コードレス供充電受信装置２の検知保護モジュール２４において整流フィルタ回路２３とレギュレータ２４１の間には遮断保護回路２４５を配置する。第二マイクロプロセッサ２５のコントロールによって、電流過大時には遮断保護回路２４５が遮断して供電をストップさせ、内部回路を保護する。検知保護モジュール２４のレギュレータ２４１及び昇降圧型レギュレータ２４３は電流検知保護回路２４４を電気的に接続し、電流検知保護回路２４４内には自動回復可能な過電流リセットヒューズ（Ｒｅｓｅｔ  Ｆｕｓｅ）を配置し、信号が第二マイクロプロセッサ２５に伝送されると、電流過大時の遮断保護回路２４５への供電が遮断され、電流検知保護回路２４４の過電流リセットヒューズによって自動遮断及び保護が行われ、二重安全保護効果を達成する設計である。しかも、電流検知保護回路２４４は、レギュレータ２４１と昇降圧型レギュレータ２４３の電源を整合し、並びに、使用可能な電圧源を自動的に選択し電子装置４に供給する。
【００２６】
図１及び図２には、本考案の電源底部についてのブロック図、コードレス供充電受信装置についてのブロック図を示す。図から理解されるとおり、電源底部１は電源回路１２を電源入力インターフェース１７に電気的に接続し、電源入力インターフェース１７は、ユニバーサル・シリアル・バス（ＵＳＢ：Ｕｎｉｖｅｒｓａｌ  Ｓｅｒｉａｌ  Ｂｕｓ）または直流変圧器とする。コードレス供充電受信装置２は検知保護モジュール２４の電流検知保護回路２４４を電源出力インターフェース２８に電気的に接続する。電源出力インターフェース２８は、ユニバーサル・シリアル・バス（ＵＳＢ：Ｕｎｉｖｅｒｓａｌ  Ｓｅｒｉａｌ  Ｂｕｓ）または電子装置４の直流電源プラグ或いはコンセントとする。単に電源伝送機能を備えれていればよく、本考案の実用新案登録請求の範囲を制限することなく、その他の修飾や同等効果を有する構造の変化は全て本考案の実用新案登録請求の範囲内に含まれるものとすることをここに明記する。
【００２７】
図１、２、６には、本考案の電源底部についてのブロック図、コードレス供充電受信装置についてのブロック図、コイルについての上面図を示す。図から理解されるとおり、第一コイル１５と第二コイル２１は、複数のエナメル線をより合わせた後に粘性絶縁材質を粘着させた線材を用い、前記線材を金型で単層の扁平矩形形状に巻きつけた後、残した二本のリード線を一端に引っ張り出し、各リード線の末端に無鉛ハンダで導電部を形成する。前記構造により、第一コイル１５及び第二コイル２１は高周波数下では優位的に低抵抗となり、インダクタンスも十分であることから、パワー伝送時に生じる熱量を大幅に低下させ、伝送効率と最大パワーを高める目的を達成する。
【００２８】
本考案の可変周波数式コードレス供電及び充電装置を実際に使用する場合には、次のような長所を有する。
（１）コードレス供充電受信装置２の検知保護モジュール２４が電源底部１によって供給された電源状況、即ち、共振部品の品質、二次側受信コイルの相対位置、二次側受信負荷状態等の要素を検知する。並びに、第二マイクロプロセッサ２５、信号生成回路２６、第二共振回路２２、及び第二コイル２１によって信号を電源底部１に伝送し、電源底部１は自動的に出力パワーを調整するため、エネルギー伝送の損失を低下させ、受信コイルの有効範囲を更に拡大し、コードレス供充電受信装置２内部部品が受け取る余分なパワーの変換も大幅に低下させる。
（２）電源底部１のパワー切換駆動回路１３にフルハーフブリッジ駆動回路１３１と並列連結した第一モスフェットアレイ１３２及び第二モスフェットアレイ１３３を用い、継続的に供電し操作する状況下でフルハーフブリッジ駆動回路１３１はスピーディにパワー出力を切り換え、更にフルハーフブリッジ駆動回路１３１は、無作業時での第一モスフェットアレイ１３２と第二モスフェットアレイ１３３の通路の漏電を遮断し、回路静止時の消耗を最低にする。
（３）第一コイル１５と第二コイル２１は、複数のエナメル線をより合わせた後に粘性絶縁材質を粘着させた線材を巻き付けて単層の扁平矩形形状を形成することにより、第一コイル１５及び第二コイル２１は高周波数下で低抵抗を備えるだけでなく、十分なインダクタンスも備えたものとなる。
（４）コードレス供充電受信装置２において第二コイル２１に第二共振回路２２の共振コンデンサを連結することにより、共振が無負荷時の消耗をゼロとし、重負荷時に優位的に大きなパワーが得られる。
（５）コードレス供充電受信装置２の検知保護モジュール２４において整流フィルタ回路２３とレギュレータ２４１の間に遮断保護回路２４５を配置し、レギュレータ２４１と昇降圧型レギュレータ２４３を電流検知保護回路２４４に電気的に接続させ、電流検知保護回路２４４内には自動回復可能な過電流リセットヒューズを使用することにより、電流過大時の遮断保護回路２４５への供電を遮断し、電流検知保護回路２４４の過電流リセットヒューズによって自動遮断及び保護を行う二重保護効果を備え、火事、損傷を防止する。
【００２９】
よって、本考案は主に可変周波数式コードレス供電及び充電装置に関するものであり、電源底部１が電源をコードレス供充電受信装置２に伝送後、コードレス供充電受信装置２は検知保護モジュール２４によって供給された電源状況を検知し、更に、第二マイクロプロセッサ２５は、信号生成回路２６、第二共振回路２２を通して信号を電源底部１にリターンし、電源底部１の第一マイクロプロセッサ１１は、検出モジュール１６が検出した信号を受信した後に分析を行い、並びに、パワー切換駆動回路１３が自動的に出力パワーを調整することにより、エネルギー伝送の損失を低下させ、余分なパワーを主な保護ポイントに変換する。よって、エネルギーは良好に使用されるだけでなく、効果的にエネルギー節約をする。
前述したものは単に本考案の実施例であり、これによって本考案の実用新案登録請求の範囲を制限するものではない。よって、本考案の明細書及び図面の内容に基づいてなされた簡易な修飾や同等効果を有する構造の変化は全て、本考案の実用新案登録請求の範囲内に含まれることをここに明記する。
【００３０】
前述をまとめると、本考案の可変周波数式コードレス供電及び充電装置の使用時に、確実にその効果及び目的を実現させることが理解される。
【符号の説明】
【００３１】
１    電源底部
１１    第一マイクロプロセッサ
１２    電源回路
１３    パワー切換駆動回路
１３１  フルハーフブリッジ駆動回路
１３２  第一モスフェットアレイ
１３３  第二モスフェットアレイ
１４    第一共振回路
１５    第一コイル
１６    検出モジュール
１６１  信号検出回路
１６２  電圧検出回路
１７    電源入力インターフェース
２    コードレス供充電受信装置
２１    第二コイル
２２    第二共振回路
２３    整流フィルタ回路
２４    検知保護モジュール
２４１  レギュレータ
２４２  電圧検知回路
２４３  昇降圧型レギュレータ
２４４  電流検知保護回路
２４５  遮断保護回路
２４６  温度検知回路
２５    第二マイクロプロセッサ
２６    信号生成回路
２７    充電モジュール
２７１  充電管理回路
２７２  蓄電池
２８    電源出力インターフェース
３    電源
４  電子装置  
【図１】
0003165768.tif 000003
【図２】
0003165768.tif 000004
【図３】
0003165768.tif 000005
【図４】
0003165768.tif 000006
【図５】
0003165768.tif 000007
【図６】
0003165768.tif 000008